(57)【要約】【課題】簡易な構造により防水性を高めることのできる電気接続箱の防水構造を提供する。【解決手段】使用状態で電気接続箱１０の上側に設けられている外部二重壁部２３Ｕに滴下した水分は、カバー部材３０ｆ、３０ｒの外側を通って流れるので、電気接続箱１０の内部に水分が浸入するのを防止することができる。仮にカバー部材３０ｆ、３０ｒを伝って本体２０側へ流れて外部二重壁部２３に水分が侵入した場合には、カバー部材３０ｆ、３０ｒの嵌合端縁３２ｆ、３２ｒから外部二重壁部２３の内面２４ａに向かって突出するリブ３２ａが水分の浸入を阻止して、電気接続箱１０内部への水分の浸入を防止することができる。【選択図】        図１
2004328931.tif 000002
【特許請求の範囲】
【請求項１】
本体と、前記本体の開口部の外側に被るように嵌合されるカバー部材と、前記本体に接続されて前記本体および前記カバー部材の嵌合方向に沿って延び、前記カバー部材に対して重複するように設けられた外部二重壁部とを有し、
前記カバー部材における複数の嵌合端縁が垂直面に略沿うように配置されるとともに、前記外部二重壁部が、取付け状態において前記各嵌合端縁のうちの少なくとも上側に位置する嵌合端縁を覆うべく配置されている電気接続箱の防水構造であって、
前記嵌合端縁から前記外部二重壁部の内面に向かって突出するリブが設けられていることを特徴とする電気接続箱の防水構造。
【請求項２】
前記リブが前記外部二重壁部の内面に接触していることを特徴とする請求項１に記載した電気接続箱の防水構造。
【請求項３】
前記外部二重壁部における前記嵌合方向の端部が前記リブを覆う位置に設けられていることを特徴とする請求項１に記載した電気接続箱の防水構造。
【請求項４】
前記リブの突出寸法が水滴の直径寸法以上であることを特徴とする請求項１に記載した電気接続箱の防水構造。
【請求項５】
前記本体および前記カバー部材の嵌合状態を保持する係合手段が前記外部二重壁部の内側に設けられていることを特徴とする請求項１に記載した電気接続箱の防水構造。
【発明の詳細な説明】
【０００１】
【発明の属する技術分野】
この発明は、電気接続箱の防水構造に関するものである。
【０００２】
【従来の技術】
一般に、自動車の電気回路に使用される電気接続箱はエンジンルームに配置される場合が多いが、車内に配置される場合もある。この場合、直接水が当たることは少ないが、近年行われるようになってきた車内の湿式洗浄（水洗い）の場合や、車内で飲食する際に飲み物をこぼした場合や、エアコンダクトからの結露水がかかる場合等、車内でも水の浸入を防止することが要求されるようになってきた。
【０００３】
高度な防水性を得るためにはＯリングを用いることが考えられるが、本体およびカバー部材にＯリングに対応した溝を形成する必要がある。
このため、金型コストの上昇、Ｏリングの使用により部品点数および組付け工数の増加等を招くという問題がある。
【０００４】
前述した問題に対して、図６に示すように、電気接続箱１００を本体１０１とカバー部材１０２とから構成することにより、本体１０１とカバー部材１０２との間に水が侵入しないような防水構造１０３が施されている（例えば、特許文献１参照。）。
【０００５】
すなわち、図７に示すように、本体１０１の周壁１０１ａにＬ字形断面の枠体１０４を設け、この枠体１０４と本体１０１の周壁１０１ａとの間に環状溝１０５を形成するとともに、カバー部材１０２の四周に枠体１０４を被覆する被覆体１０６を周設している。
そして、枠体１０４および被覆体１０６との立上り基部間に適宜空間を形成し、さらに被覆体１０６の端縁に、先端が本体１０１の周壁１０１ａに近接する傾斜板１０７を設けている。
【０００６】
しかしながら、前述した電気接続箱１００においても、本体１０１やカバー部材１０２が成形後の「引け」等により変形すると、本体１０１とカバー部材１０２との間に隙間が生じて、水分が浸入する虞れがある。
【０００７】
そこで、この問題点を解決すべく、図８に示すような防水構造が開示されている（例えば、特許文献２参照。）。
すなわち、図８に示すように、この電気接続箱１１０をアッパーカバー１１１とロアーカバー１１２で構成し、アッパーカバー１１１の外周下部にスカート部１１３を形成して、上部を閉じた嵌合溝１１４を形成する。ロアーカバー１１２の上端部の周壁１１２ａが嵌合溝１１４内に嵌合されるように、アッパーカバー１１１をロアーカバー１１２に被せる。
これにより、スカート部１１３とロアーカバー１１２により３重の壁が形成され、防水を図っている。
【０００８】
【特許文献１】
実開昭５５−１２９４７９号公報（第１頁、第１図）
【特許文献２】
特開平１１−４１７４８号公報（第２、３頁、第１図）
【０００９】
【発明が解決しようとする課題】
しかしながら、前述した電気接続箱１１０においては、本体であるロアーカバー１１２とカバー部材であるアッパーカバー１１１の位置決めと、防水とを同時に行うので、ロアーカバー１１２やアッパーカバー１１１に「引け」等の変形があった場合には、図９に示すようにロアーカバー１１２の上部の周壁１１２ａが、アッパーカバー１１１のスカート部１１３の途中の段差１１３ａに引っ掛かったりして相互の嵌合が面倒である。
【００１０】
本発明は、前述した問題点に鑑みてなされたものであり、その目的は、簡易な構造により防水性を高めることのできる電気接続箱の防水構造を提供することにある。
【００１１】
【課題を解決するための手段】
前述した目的を達成するために、本発明にかかる電気接続箱の防水構造は、請求項１に記載したように、本体と、前記本体の開口部の外側に被るように嵌合されるカバー部材と、前記本体に接続されて前記本体および前記カバー部材の嵌合方向に沿って延び、前記カバー部材に対して重複するように設けられた外部二重壁部とを有し、前記カバー部材における複数の嵌合端縁が垂直面に略沿うように配置されるとともに、前記外部二重壁部が、取付け状態において前記各嵌合端縁のうちの少なくとも上側に位置する嵌合端縁を覆うべく配置されている電気接続箱の防水構造であって、前記嵌合端縁から前記外部二重壁部の内面に向かって突出するリブが設けられていることを特徴としている。
【００１２】
このように構成された電気接続箱の防水構造においては、使用状態で電気接続箱の上側に設けられている外部二重壁部に滴下した水分は、カバー部材の外側を通って流れるので、電気接続箱の内部に水分が浸入するのを防止することができる。
また、カバー部材を伝って本体側へ流れて外部二重壁部に水分が侵入した場合でも、カバー部材の嵌合端縁から外部二重壁部の内面に向かって突出するリブが水分の浸入を阻止するので、電気接続箱内部への水分の浸入を防止することができる。
【００１３】
また、本発明にかかる電気接続箱の防水構造は、請求項２に記載したように、請求項１に記載した電気接続箱の防水構造において、前記リブが前記外部二重壁部の内面に接触していることを特徴としている。
【００１４】
このように構成された電気接続箱の防水構造においては、カバー部材の嵌合端縁から外部二重壁部の内面に向かって突出するリブが、外部二重壁部の内面に接触しているので、水分の浸入を防止することができる。
【００１５】
また、本発明にかかる電気接続箱の防水構造は、請求項３に記載したように、請求項１に記載した電気接続箱の防水構造において、前記外部二重壁部における前記嵌合方向の端部が前記リブを覆う位置に設けられていることを特徴としている。
【００１６】
このように構成された電気接続箱の防水構造においては、リブが外部二重壁部によって覆われているので、リブを超えて水分が浸入するのを防止することができる。
【００１７】
また、本発明にかかる電気接続箱の防水構造は、請求項４に記載したように、請求項１に記載した電気接続箱の防水構造において、前記リブの突出寸法が水滴の直径寸法以上であることを特徴としている。
【００１８】
このように構成された電気接続箱の防水構造においては、水分が毛細管現象により内部に浸入するのを防止することができる。
【００１９】
また、本発明にかかる電気接続箱の防水構造は、請求項５に記載したように、請求項１に記載した電気接続箱の防水構造において、前記本体および前記カバー部材の嵌合状態を保持する係合手段が前記外部二重壁部の内側に設けられていることを特徴としている。
【００２０】
このように構成された電気接続箱の防水構造においては、係合手段が外部二重壁部よりも内側に設けられているので、係合手段が設けられている部分から水分が浸入するのを防止することができる。
【００２１】
【発明の実施の形態】
以下、本発明に係る電気接続箱の防水構造の実施の形態を図面に基づいて詳細に説明する。図１は電気接続箱の分解斜視図、図２は図１中ＩＩ−ＩＩ位置における電気接続箱の防水構造を示す断面図、図３は図２中ＩＩＩ部分の拡大断面図である。
【００２２】
図１に示すように、本発明に係る電気接続箱１０は、前後両面に開口部２１ｆ、２１ｒを有する本体２０と、この本体２０の前後の開口部２１ｆ、２１ｒの両外側に被るように嵌合される一対のカバー部材３０ｆ、３０ｒとを有している。本体２０、カバー部材３０ｆ、３０ｒ等は、一般に、合成樹脂から形成されている。この電気接続箱１０は、例えば本体２０の両開口部２１ｆ、２１ｒが略垂直面に沿った状態で使用される。
【００２３】
本体２０の内部には、種々の電装品を装着するための電装品収容ブロック２２が設けられており、その外周には本体壁部２３がカバー部材３０ｆ、３０ｒの嵌合方向（図１中矢印方向）である前後両側に設けられている。本体壁部２３の内、少なくとも電気接続箱１０の使用状態において上側となる本体壁部２３Ｕにおいては、外部二重壁部を構成する外壁２４ａおよび内壁２４ｂが各々前後両方に向かって設けられている。
なお、全周にわたって外壁２４ａおよび内壁２４ｂを設けることも可能である。
【００２４】
図２に示すように、本体２０に設けられている外壁２４ａおよび内壁２４ｂから構成される外部二重壁部は、外壁２４ａと内壁２４ｂとの間に一定の隙間２５を設け、この隙間２５にカバー部材３０ｆ、３０ｒを各々嵌合させることにより、カバー部材３０ｆ、３０ｒを外壁２４ａと内壁２４ｂとの間に含む構造となっている。
また、カバー部材３０ｆ、３０ｒの壁３２ｆ、３２ｒの内側（図２において下側）には、本体壁部２３の内壁２４ｂの先端部を係止するための受けリブ３７が内側に突出して設けられている。これにより、内壁２４ｂを保持して、本体２０と両カバー部材３０ｆ、３０ｒを確実に一体化できるようにしている。
なお、外部二重壁部の内側である内壁２４ｂの外側面で外壁２４ａの幅の内側には、カバー部材３０ｆ、３０ｒの嵌合状態を保持する係合手段である係止突起２６が設けられており、カバー部材３０ｆ、３０ｒを係止して脱落を防止している。
【００２５】
図１に示すように、裏側のカバー部材３０ｒは、前述した本体２０の裏側の開口部２１ｒを覆うべく、略矩形状のベースプレート３１ｒを有しており、このベースプレート３１ｒの外周には壁３２ｒがベースプレート３１ｒに対して直角（嵌合方向）に設けられている。嵌合端縁となる壁３２ｒの先端には、図２に示すように、本体壁部２３の外壁２４ａに向かってリブ３２ａが突出して設けられている。
【００２６】
図３に示すように、リブ３２ａの先端３２ｂがちょうど外壁２４ａの内面２４ｄに当接する高さとするのが好ましいが、少なくともリブ３２ａの突出寸法Ｈが水滴の直径寸法以上、具体的には１．５ｍｍ以上となるようにする。
これにより、水分が毛細管現象で滲み込むのを防止することができる。
【００２７】
さらに、リブ３２ａの側面３２ｃが本体壁部２３の中央側面３２ｅに接するのがよい。
これにより、本体壁部２３の内部方向への水の流れを防止して、防水性を高めることができる。なお、外壁２４ａの先端面２４ｃは、少なくともリブ３２ａを完全に内側に覆うような長さとするのが好ましい。
【００２８】
図１に示すように、カバー部材３０ｒの壁３２ｒは、場所によって切欠き３３ａ、３３ｂが設けられており、本体２０の電装品収容ブロック２２に設けられている取付けブラケット３４との干渉を回避したり、電装品収容ブロック２２に取付けたコネクタを覆うコネクタカバーを付けることができるようになっている。
壁３２ｒの先端に設けられているリブ３２ａは、壁３２ｒの形状に沿って、切欠き３３ａ、３３ｂ等に沿うように、全周にわたって連続して設けられている。従って、カバー部材３０ｒの外面に付着した水分がカバー部材３０ｒの内側に侵入することは、リブ３２ａにより確実に阻止されている。
【００２９】
なお、切欠き３３ａ、３３ｂ等に沿って設けられているリブ３２ａは、本体２０側から外側に向かって切欠き３３ａ、３３ｂが狭くなる方向に傾斜して設けられている。
すなわち、リブ３２ａは必ず鈍角（図１中θ）で折れ曲がることになり、リブ３２ａに沿った水の流れがスムーズとなって、水が溜まるのを防止することができる。これに伴い、防水性を改善することができる。
【００３０】
また、図１に示すように、表側のカバー部材３０ｆは、本体２０の表側の開口部２１ｆを覆うべく、前述した裏側のカバー部材３０ｒと同様の形状をしている。
すなわち、ベースプレート３１ｆの外周には壁３２ｆが嵌合方向に延びて設けられており、壁３２ｆの先端には前述した裏側のカバー部材３０ｒに設けたリブ３２ａと同じリブ３２ａが設けられている。また、カバー部材３０ｆには、電装品収容ブロック２２に装着される電装品との干渉を回避するために、電装品の形状に対応して、凹部３５が設けられたり、切欠き３６ａ、３６ｂが設けられたりしている。
【００３１】
図４には、電気接続箱１０の上側から滴下した水の流れ道が示されている。上方から上側の本体壁部２３Ｕに滴下した水分は、外壁２４ａの上面に沿って前後（図４において左右）両側に流れ（図４中矢印▲１▼）、カバー部材３０ｆ、３０ｒの壁３２ｆ、３２ｒに落ちる（矢印▲２▼）。壁３２ｆ、３２ｒに落ちた水の一部は、一旦内側に向かって流れる（矢印▲３▼）ものもあるが、壁３２ｆ、３２ｒに設けられているリブ３２ａに当たって戻り、カバー部材３０ｆ、３０ｒの外面を伝って流れ落ちる（矢印▲４▼）。
【００３２】
また、図５に示すように、図４の矢印▲３▼で内側に流れた水のうち一部は、リブ３２ａに沿って左右方向へ流れる（図５中矢印▲５▼）が、リブ３２ａは全周にわたって連続しているので、リブ３２ａを超えて本体壁部２３の内壁２４ｂに達するものはない。
例えば、裏側のカバー部材３０ｒに設けられている切欠き３３ａ部分においても、リブ３２ａは連続して切欠き３３ａを回避しているので、水はリブ３２ａに沿って流れ落ちる（矢印▲６▼）。
【００３３】
以上、前述した電気接続箱の防水構造によれば、使用状態において上側に位置する本体２０に外壁２４ａおよび内壁２４ｂからなる外部二重壁部を設けて、外壁２４ａと内壁２４ｂとの間にカバー部材３０ｆ、３０ｒを嵌合させるとともに、カバー部材３０ｆ、３０ｒに設けた壁３２ｆ、３２ｒの先端にリブ３２ａを立ち上げたので、本体２０とカバー部材３０ｆ、３０ｒとの間の防水性を向上させることができる。
【００３４】
なお、本発明の電気接続箱の防水構造は、前述した実施形態に限定されるものでなく、適宜な変形、改良等が可能である。
例えば、前述した実施形態においては、図１に示したように、本体２０の前後両面に開口部２１ｆ、２１ｒが設けられており、一対のカバー部材３０ｆ、３０ｒにより両開口部２１ｆ、２１ｒを覆う場合について説明したが、この他、本体２０の前面（あるいは後面）にのみ開口部２１を有し、この開口部２１を１枚のカバー部材３０により覆う場合についても同様に適用することができる。この場合には、本体２０の前側に延びるように外壁２４ａと内壁２４ｂを設けて外部二重壁部を形成し、外壁２４ａと内壁２４ｂとの間の隙間２５にカバー部材３０の壁３２の端縁が嵌合される。
【００３５】
【発明の効果】
以上、説明したように、本発明にかかる電気接続箱の防水構造によれば、請求項１に記載したように、使用状態で電気接続箱の上側に設けられている二重壁部に滴下した水分は、カバー部材の外側を通って流れる。また、嵌合端縁から外部二重壁部の内面に向かって突出するリブが設けたので、カバー部材を伝って本体側へ流れて二重壁部に水分が侵入した場合には、カバー部材の嵌合端縁から外部二重壁部の内面に向かって突出するリブが水分の浸入を阻止し、電気接続箱内部への水分の浸入を防止することができる。
【図面の簡単な説明】
【図１】本発明に係る電気接続箱の防水構造の一実施形態を示す分解斜視図である。
【図２】図１中ＩＩ−ＩＩ位置における外部二重壁部の断面図である。
【図３】図２中ＩＩＩ部分の拡大断面図である。
【図４】上方から滴下した水の流れを示す断面図である。
【図５】上方から滴下した水の流れを示す平面図である。
【図６】従来の電気接続箱の一例を示す斜視図である。
【図７】図６中ＶＩＩ−ＶＩＩ位置における断面図である。
【図８】従来の電気接続箱の別の例を示す斜視図である。
【図９】図８の電気接続箱における問題点を示す断面図である。
【符号の説明】
１０  電気接続箱
２０  本体
２１ｆ、２１ｒ  開口部
２４ａ  外壁（外部二重壁部）
２４ｂ  内壁（外部二重壁部）
２４ｃ  先端面（端部）
２４ｄ  内面
２６  係止突起（係合手段）
３０ｆ、３０ｒ  カバー部材
３２ａ  リブ
３２ｒ  壁（嵌合端縁）
Ｈ  リブの突出寸法
【図１】
2004328931.tif 000003
【図２】
2004328931.tif 000004
【図３】
2004328931.tif 000005
【図４】
2004328931.tif 000006
【図５】
2004328931.tif 000007
【図６】
2004328931.tif 000008
【図７】
2004328931.tif 000009
【図８】
2004328931.tif 000010
【図９】
2004328931.tif 000011